(57)【要約】【課題】メンテナンスに係る作業性の向上を図ることが可能な電気接続箱を提供する。【解決手段】電気接続箱１は、開口部を有する本体ケース３と、開口部を覆って本体ケース３に嵌合するアッパーカバー４とを備えて構成される。電気接続箱１は、本体ケース３に対するアッパーカバー４の嵌合・嵌合解除をケース側ロック部９、１３とカバー側ロック部１９、２３とにより行う構造を有する。本体ケース３には、ケース側当接部１０、１４が形成される。また、アッパーカバー４には、カバー側当接部２０、２４が形成される。電気接続箱１は、アッパーカバー４にて本体ケース３の開口部を覆う際、アッパーカバー４を嵌合の方向に交差する所定方向に移動させると、この移動によりカバー側当接部２０、２４がケース側当接部１０、１４に当接し、当接した位置で本体ケース３側にアッパーカバー４を移動させることで嵌合できる。【選択図】図１
2015208189.tif 000002
【特許請求の範囲】
【請求項１】
電気部品を臨む開口部を有する電気接続箱本体ケースと、前記開口部を覆い前記電気接続箱本体ケースに嵌合するカバーとを備え、前記電気接続箱本体ケースに対する前記カバーの嵌合・嵌合解除は、ケース側ロック部とカバー側ロック部とにより行われる構造の電気接続箱において、
前記カバーは、前記カバー側ロック部の位置に合わせてカバー側当接部を有し、
前記電気接続箱本体ケースは、前記ケース側ロック部の位置及び前記カバー側当接部の位置に合わせてケース側当接部を有し、
前記カバー側当接部と前記ケース側当接部は、前記カバーにて前記開口部を覆う際、前記嵌合の方向に交差する所定方向に前記カバーを移動させることで当接する位置に配置形成される
ことを特徴とする電気接続箱。
【請求項２】
請求項１に記載の電気接続箱において、
前記カバー側当接部は、前記カバー側ロック部の近傍に配置され且つ前記嵌合の方向に延在する壁又は柱状に形成され、
前記ケース側当接部は、前記ケース側ロック部を構成し且つ前記嵌合の方向に延在する壁を用いて形成される
ことを特徴とする電気接続箱。
【請求項３】
請求項１又は２に記載の電気接続箱において、
前記カバーと前記電気接続箱本体ケースは、カバー側サポート部とケース側サポート部とを有し、
前記カバー側サポート部と前記ケース側サポート部は、前記カバー側当接部と前記ケース側当接部との当接状態で前記カバーを前記嵌合の方向に移動させると、該移動をガイドするように形成される
ことを特徴とする電気接続箱。
【請求項４】
請求項３に記載の電気接続箱において、
前記カバー側サポート部と前記ケース側サポート部は、前記カバー側当接部と前記ケース側当接部とで前記カバー側ロック部と前記ケース側ロック部とを挟んだ位置に配置形成される
ことを特徴とする電気接続箱。
【発明の詳細な説明】
【技術分野】
【０００１】
本発明は、電気部品を臨む開口部を有する電気接続箱本体ケースと、開口部を覆って電気接続箱本体ケースに嵌合するカバーとを備える電気接続箱に関し、詳しくは電気接続箱本体ケースに対するカバーの嵌合・嵌合解除をケース側ロック部とカバー側ロック部とにより行う構造の電気接続箱に関する。
【背景技術】
【０００２】
自動車等の車両に搭載される電気機器として、例えば電気接続箱が挙げられる。電気接続箱は、リレーボックスやヒューズボックス、或いはジャンクションブロックや電子制御ユニットボックス等を総称するものとして知られる。下記特許文献１には、電気接続箱に関する技術が開示される。以下、電気接続箱の構成について簡単に説明をする。
【０００３】
電気接続箱は、自動車の例えばエンジンルームに搭載される。電気接続箱は、この機能部分としての電気接続箱本体と、カバーとを備えて構成される。電気接続箱本体は、電気接続箱を構成する樹脂製の筐体であって、電気接続箱本体ケースを有する。一方、カバーは、電気接続箱本体ケースの開口部を覆うために備えられる。電気接続箱は、電気接続箱本体ケースの開口部から臨む位置に電気部品等が装着される。電気部品等は、電気接続箱本体ケースの開口部を覆うようにカバーが嵌合した状態で水分が掛からないようになる。
【０００４】
カバーと電気接続箱本体ケースとの嵌合構造に関し、カバーには、カバー側ロック部が形成される。また、電気接続箱本体ケースには、ケース側ロック部が形成される。カバー側ロック部とケース側ロック部は、必要に応じて複数形成される。カバー側ロック部は、例えば可撓性を有する片持ちアーム形状に形成される。また、ケース側ロック部は、カバー側ロック部を撓ませた後に元の位置に戻ろうとしたカバー側ロック部を引っ掛けて嵌合させるような、例えば水平断面略コ字状の枠形状部分に形成される。
【０００５】
作業者によるカバーの嵌合に関し、電気接続箱本体ケースの開口部の真上から下ろすようにカバーを移動させると、カバー側ロック部がケース側ロック部に引っ掛かる。これにより、開口部を覆う状態でカバーが電気接続箱本体ケースに嵌合する。また、作業者による嵌合解除に関し、カバー側ロック部を撓ませるようにしてケース側ロック部との係止を外し嵌合解除する。
【０００６】
電気接続箱本体ケースとの嵌合を解除してカバーを取り外すと、作業者は電気接続箱本体に対するメンテナンス作業をすることができるようになる。
【先行技術文献】
【特許文献】
【０００７】
【特許文献１】特開２０１２−１８２９６５号公報
【発明の概要】
【発明が解決しようとする課題】
【０００８】
上記従来技術にあっては、電気接続箱本体ケースに対するカバーの嵌合・嵌合解除の方向が上下方向であることから、上方にスペースがないとメンテナンスに係る作業が非常に困難になってしまうという問題点を有する。
【０００９】
本発明は、上記した事情に鑑みてなされたもので、メンテナンスに係る作業性の向上を図ることが可能な電気接続箱を提供することを課題とする。
【課題を解決するための手段】
【００１０】
上記課題を解決するためになされた請求項１に記載の本発明は、電気部品を臨む開口部を有する電気接続箱本体ケースと、前記開口部を覆い前記電気接続箱本体ケースに嵌合するカバーとを備え、前記電気接続箱本体ケースに対する前記カバーの嵌合・嵌合解除は、ケース側ロック部とカバー側ロック部とにより行われる構造の電気接続箱において、前記カバーは、前記カバー側ロック部の位置に合わせてカバー側当接部を有し、前記電気接続箱本体ケースは、前記ケース側ロック部の位置及び前記カバー側当接部の位置に合わせてケース側当接部を有し、前記カバー側当接部と前記ケース側当接部は、前記カバーにて前記開口部を覆う際、前記嵌合の方向に交差する所定方向に前記カバーを移動させることで当接する位置に配置形成されることを特徴とする。
【００１１】
請求項２に記載の本発明は、請求項１に記載の電気接続箱において、前記カバー側当接部は、前記カバー側ロック部の近傍に配置され且つ前記嵌合の方向に延在する壁又は柱状に形成され、前記ケース側当接部は、前記ケース側ロック部を構成し且つ前記嵌合の方向に延在する壁を用いて形成されることを特徴とする。
【００１２】
請求項３に記載の本発明は、請求項１又は２に記載の電気接続箱において、前記カバーと前記電気接続箱本体ケースは、カバー側サポート部とケース側サポート部とを有し、前記カバー側サポート部と前記ケース側サポート部は、前記カバー側当接部と前記ケース側当接部との当接状態で前記カバーを前記嵌合の方向に移動させると、該移動をガイドするように形成されることを特徴とする。
【００１３】
請求項４に記載の本発明は、請求項３に記載の電気接続箱において、前記カバー側サポート部と前記ケース側サポート部は、前記カバー側当接部と前記ケース側当接部とで前記カバー側ロック部と前記ケース側ロック部とを挟んだ位置に配置形成されることを特徴とする。
【発明の効果】
【００１４】
請求項１に記載された本発明によれば、カバーにて電気接続箱本体ケースの開口部を覆う際、カバーを嵌合の方向に交差する所定方向に移動させると、この移動によりカバー側当接部がケース側当接部に当接する。仮に、電気接続箱の上方に十分なスペースがない場合や、電気接続箱本体ケースに対するカバーの嵌合位置を目視することができない場合でも、上記当接によってカバーを電気接続箱本体ケースに正確に嵌合させることができる。従って、本発明によれば、メンテナンスに係る作業性の向上を図ることができるという効果を奏する。
【００１５】
請求項２に記載された本発明によれば、カバー側ロック部とケース側ロック部との嵌合位置の近傍にカバー側当接部とケース側当接部とを配置形成することから、離れた場所と比べ、より一層正確にカバーを電気接続箱本体ケースに嵌合させることができる。従って、本発明によれば、メンテナンスに係る作業性の向上を図ることができるという効果を奏する。
【００１６】
請求項３に記載された本発明によれば、カバー側当接部とケース側当接部との当接状態でカバーを嵌合の方向に移動させると、カバー側サポート部とケース側サポート部とによるガイドが行われることから、カバーを電気接続箱本体ケースに正確且つスムーズに嵌合させることができる。従って、本発明によれば、メンテナンスに係る作業性の向上を図ることができるという効果を奏する。
【００１７】
請求項４に記載された本発明によれば、カバー側ロック部を挟んだ位置にカバー側サポート部とカバー側当接部とを配置形成することから、また、ケース側ロック部を挟んだ位置にケース側サポート部とケース側当接部とを配置形成することから、位置ズレすることなく安定した状態でカバーを電気接続箱本体ケースに嵌合させることができる。従って、本発明によれば、メンテナンスに係る作業性の向上を図ることができるという効果を奏する。
【図面の簡単な説明】
【００１８】
【図１】本発明の電気接続箱を示す平面図と、左側及び右側の嵌合部分に係る嵌合過程を示す斜視図である。
【図２】左側の嵌合部分に係る嵌合直前の状態を示す斜視図である。
【図３】左側の嵌合部分に係る嵌合直前の状態を示す左側面図である。
【図４】右側の嵌合部分に係る嵌合直前の状態を示す斜視図である。
【図５】左側の嵌合部分に係る嵌合直前の状態を示す右側面図である。
【図６】アッパーカバーを本体ケースから外した状態を示す斜視図である。
【図７】カバー側及びケース側の各ロック部などの嵌合直前の状態を示す斜視図であり、（ａ）は左側から見た図、（ｂ）は右側から見た図である。
【図８】カバー側及びケース側の各ロック部などの嵌合状態を示す斜視図であり、（ａ）は左側から見た図、（ｂ）は右側から見た図である。
【図９】アッパーカバーを本体ケースに嵌合させた状態を示す斜視図である。
【発明を実施するための形態】
【００１９】
電気接続箱は、開口部を有する電気接続箱本体ケースと、開口部を覆って電気接続箱本体ケースに嵌合するカバーとを備えて構成される。電気接続箱は、電気接続箱本体ケースに対するカバーの嵌合・嵌合解除をケース側ロック部とカバー側ロック部とにより行う構造を有する。電気接続箱本体ケースには、ケース側当接部が形成される。また、カバーには、カバー側当接部が形成される。
【００２０】
電気接続箱は、カバーにて電気接続箱本体ケースの開口部を覆う際、カバーを嵌合の方向に交差する所定方向に移動させると、この移動によりカバー側当接部がケース側当接部に当接する構造を有する。当接が生じた位置で電気接続箱本体ケース側にカバーを移動させることで嵌合できる。仮に、電気接続箱の上方に十分なスペースがない場合や、嵌合位置を目視することができない場合でも、正確に嵌合させることができる。
【実施例】
【００２１】
以下、図面を参照しながら実施例を説明する。
【００２２】
図１は本発明の電気接続箱を示す平面図と、左側及び右側の嵌合部分に係る嵌合過程を示す斜視図である。また、図２は左側の嵌合部分に係る嵌合直前の状態を示す斜視図、図３は左側の嵌合部分に係る嵌合直前の状態を示す左側面図、図４は右側の嵌合部分に係る嵌合直前の状態を示す斜視図、図５は左側の嵌合部分に係る嵌合直前の状態を示す右側面図である。尚、図中の矢印Ｐは上下方向、矢印Ｑは左右方向、矢印Ｒは前後方向を示す。
【００２３】
図１において、自動車に搭載される電気接続箱１は、本体ケース３（電気接続箱本体ケース）と、この本体ケース３に対し着脱自在なアッパーカバー４（カバー）と、車体固定部５とを備えて構成される。電気接続箱１は、樹脂成形品である。
【００２４】
本体ケース３は、この上部が開口部６として形成される。このような本体ケース３の左側の側壁７には、ケース側ロック部９と、ケース側当接部１０と、ケース側サポート部１１とが形成される。また、本体ケース３の右側の側壁７にもケース側ロック部１３と、ケース側当接部１４とが形成される。ケース側ロック部９、１３は、アッパーカバー４を嵌合させるための部分（ロック部分）として形成される。また、ケース側当接部１０、１４とケース側サポート部１１は、本発明の特徴部分の一つとして形成される。
【００２５】
アッパーカバー４は、本体ケース３の側壁７の上端に嵌合する枠状側壁１５と、天井壁１６と、この天井壁１６を凹ませて形成される障害物回避部１７とを有する。このようなアッパーカバー４の左側の枠状側壁１５には、カバー側ロック部１９と、カバー側当接部２０と、カバー側サポート部２１とが形成される。また、アッパーカバー４の右側の枠状側壁１５にもカバー側ロック部２３と、カバー側当接部２４とが形成される。カバー側ロック部１９、２３は、アッパーカバー４を本体ケース３に嵌合させるための部分（ロック部分）として形成される。また、カバー側当接部２０、２４とカバー側サポート部２１は、本発明の特徴部分の一つとして形成される。
【００２６】
図１ないし図３において、左側の側壁７のケース側ロック部９は、水平断面略コ字状で且つ上下方向にのびる筒形状に形成される。この筒形状に関しもう少し詳しく説明をすると、ケース側ロック部９は、左側の側壁７から外側に垂直に短く突出する一対の突条壁２５と、左側の側壁７に平行で且つ一対の突条壁２５の端部間に連成される連結壁２６とを有して筒形状に形成される。ケース側ロック部９は、この内部が空間になるように形成される。上記空間は、アッパーカバー４のカバー側ロック部１９との嵌合空間（カバー側ロック部１９が差し込まれる空間（被差し込み空間））として形成される。
【００２７】
上記嵌合空間（被差し込み空間）に面する連結壁２６の内面には、図示しない引っ掛け部が形成される。引っ掛け部は、アッパーカバー４のカバー側ロック部１９が引っ掛かる部分として形成される。引っ掛け部は、例えば突起や段差にて引っ掛かりが生じるように形成される。
【００２８】
一対の突条壁２５の外面は、平坦な状態で且つ長く上下方向にのびるように形成される。このような一対の突条壁２５のうち一方（前側の突条壁２５）は、ケース側当接部１０として形成される。ケース側当接部１０（前側の突条壁２５）は、アッパーカバー４のカバー側当接部２０が突き当たる部分として形成される。また、ケース側当接部１０（前側の突条壁２５）は、カバー側当接部２０が上下方向に摺接する部分として形成される。
【００２９】
一対の突条壁２５のうち他方（後側の突条壁２５）は、ケース側サポート部１１として形成される。このケース側サポート部１１（後側の突条壁２５）は、アッパーカバー４のカバー側サポート部２１と協働してガイド機能を発揮することができるように形成される。
【００３０】
一対の突条壁２５の基端部分には、それぞれスリット２７が形成される。スリット２７は、アッパーカバー４の左側の枠状側壁１５を差し込むことができるように形成される。スリット２７は、本体ケース３の左側の側壁７に対しこの外側にアッパーカバー４の左側の枠状側壁１５をラップさせるために必要な分だけ切り欠き形成される。
【００３１】
図１、図４、及び図５において、右側の側壁７のケース側ロック部１３は、水平断面略コ字状で且つ上下方向にのびる枠形状（門形状）に形成される。この枠形状に関しもう少し詳しく説明すると、ケース側ロック部１３は、右側の側壁７から外側に垂直に短く突出する一対の突出壁２８と、右側の側壁７に平行で且つ一対の突出壁２８の端部間に連成される帯板状の連結帯壁２９とを有して枠形状に形成される。ケース側ロック部１３は、この内部が空間になるように形成される。この空間は、アッパーカバー４のカバー側ロック部２３との嵌合空間（カバー側ロック部１９が差し込まれる空間（被差し込み空間））として形成される。
【００３２】
上記嵌合空間（被差し込み空間）に面する連結帯壁２９の内面には、図示しない引っ掛け部が形成される。引っ掛け部は、アッパーカバー４のカバー側ロック部２３が引っ掛かる部分として形成される。引っ掛け部は、例えば突起や段差にて引っ掛かりが生じるように形成される。
【００３３】
一対の突出壁２８の外面は、平坦な状態で短く且つ上下方向にのびるように形成される。このような一対の突出壁２８のうち一方（前側の突出壁２８）は、ケース側当接部１４として形成される。ケース側当接部１４（前側の突出壁２８）は、アッパーカバー４のカバー側当接部２４が突き当たる部分として形成される。また、ケース側当接部１４（前側の突出壁２８）は、カバー側当接部２４が上下方向に摺接する部分として形成される。
【００３４】
一対の突出壁２８の基端部分には、上記突条壁２５と同じスリット２７が形成される。スリット２７は、アッパーカバー４の右側の枠状側壁１５を差し込むことができるように形成される。スリット２７は、本体ケース３の右側の側壁７に対しこの外側にアッパーカバー４の右側の枠状側壁１５をラップさせるため必要な分だけ切り欠き形成される。
【００３５】
図１において、アッパーカバー４は、上記の如く枠状側壁１５と、天井壁１６と、障害物回避部１７とを有する。アッパーカバー４は、本体ケース３に嵌合（外嵌）して開口部６を覆うことができるように形成される。枠状側壁１５は、開口部６の開口形状に合わせて囲むことができるように形成される。また、枠状側壁１５や天井壁１６は、開口部６を介して装着される電気部品等の形状や高さに合わせて形成される。障害物回避部１７は、電気接続箱１の搭載後、電気接続箱１の上方に取り付けられる後述の他の部品４２（図６参照）に対する逃がし部分として形成される。
【００３６】
アッパーカバー４は、上記の如くカバー側ロック部１９とカバー側当接部２０とカバー側サポート部２１とを左側の枠状側壁１５に有するとともに、右側の枠状側壁１５にカバー側ロック部２３とカバー側当接部２４とを有して図示形状に形成される。
【００３７】
図２及び図３において、左側の枠状側壁１５のカバー側当接部２０とカバー側サポート部２１は、カバー側ロック部１９の近傍に配置形成される。具体的には、作業者の作業位置から見て、カバー側当接部２０がカバー側ロック部１９よりも前側に、また、カバー側サポート部２１がカバー側ロック部１９よりも後側に配置形成される。
【００３８】
左側の枠状側壁１５のカバー側ロック部１９は、ロック本体３０と、一対の保護壁３１とを有する。このようなカバー側ロック部１９は、左側の側壁７のケース側ロック部９に対し差し込みができるような形状に形成される。また、嵌合・嵌合解除が自在な形状にも形成される。
【００３９】
ロック本体３０は、可撓性を有する片持ちアーム片形状に形成される。ロック本体３０は、この基端部分が上側に位置し自由端部分が下側に位置するように形成される。自由端部分には、外側に小さく突出する断面視爪状の嵌合突条３２が形成される。嵌合突条３２は、ケース側ロック部９の図示しない引っ掛け部に引っ掛かるような形状に形成される。尚、図示しない引っ掛け部に引っ掛かった嵌合突条３２は、ロック本体３０を内側に撓ませると嵌合状態が解除されるようになる。
【００４０】
一対の保護壁３１は、意図しない外力によってロック本体３０が内側に撓まないようにすることができる部分として形成される。また、一対の保護壁３１は、カバー側ロック部１９が左側の側壁７のケース側ロック部９に対し差し込まれる際に、ロック本体３０の両側でガイドすることができる部分として形成される。
【００４１】
左側の枠状側壁１５のカバー側当接部２０は、本体ケース３のケース側当接部１０に対し突き当たる部分として例えば図示形状に形成される。もう少し詳しく説明をすると、カバー側当接部２０は、当接壁３３と、補強壁３４と、補強部３５とを含んで構成される（一例である）。カバー側当接部２０は、上記構成を含んで左側の枠状側壁１５の縁部から下方向に真っ直ぐのびる図示の形状に形成される。
【００４２】
当接壁３４は、本体ケース３のケース側当接部１０に対し直接突き当たる部分として形成される。突き当たる部分は、平坦な面に形成される。また、当接壁３４は、ケース側当接部１０に対し摺接可能な部分としても形成される。当接壁３４は、カバー側当接部２０が左側の枠状側壁１５の縁部から下方向にのびることから、カバー側ロック部１９による嵌合前に本体ケース３に対し作用する部分として形成される。
【００４３】
補強壁３４と補強部３５は、本体ケース３のケース側当接部１０に対し直接突き当たる当接壁３３の機能を確保する部分として形成される。尚、機能確保ができればよく、図示の壁や柱形状に限らない。
【００４４】
左側の枠状側壁１５のカバー側サポート部２１は、カバー側当接部２０との間に本体ケース３のケース側ロック部９が位置するように配置形成される（別な言い方をすれば、ケース側ロック部９を挟んだ位置に配置形成される）。カバー側サポート部２１は、本体ケース３のケース側当接部１０に対し当接壁３３を突き当てた状態（当接状態）でアッパーカバー４を下方へ移動させると、この時、下方への移動をガイドすることができる部分として形成される。
【００４５】
カバー側サポート部２１は、ガイド壁３６と、補強壁３７と、補強部３８とを含んで構成される（一例である）。カバー側サポート部２１は、上記構成を含んで左側の枠状側壁１５の縁部から下方向に真っ直ぐのびるように形成される。尚、カバー側サポート部２１は、カバー側当接部２０よりも短く形成される（長すぎると本体ケース３のケース側当接部１０に対するカバー側当接部２０の突き当てがし難くなるため）。
【００４６】
ガイド壁３６は、本体ケース３のケース側サポート部１１と協働してガイド機能を発揮することができるように形成される。ガイド壁３６は、平坦な面に形成される。ガイド壁３６は、カバー側サポート部２１が左側の枠状側壁１５の縁部から下方向にのびることから、カバー側ロック部１９による嵌合前に本体ケース３に対し作用可能な部分として形成される。尚、カバー側サポート部２１における引用符号３９は誘導部を示す。この誘導部３９は、ケース側サポート部１１の誘い部分として形成される。誘導部３９は、テーパ形状に形成される（一例である）。
【００４７】
図４及び図５において、右側の枠状側壁１５のカバー側ロック部２３は、本実施例において左側の枠状側壁１５のカバー側ロック部１９と同じ構成及び構造を有するように形成される。すなわち、カバー側ロック部２３は、ロック本体３０と、一対の保護壁３１とを有する。カバー側ロック部２３は、右側の側壁７のケース側ロック部１３に対し差し込みができるような形状に形成される。また、嵌合・嵌合解除が自在な形状にも形成される。
【００４８】
右側の枠状側壁１５のカバー側当接部２４は、カバー側ロック部２３の近傍且つ作業者の作業位置から見て、カバー側ロック部２３よりも前側に配置形成される。このようなカバー側当接部２４は、本実施例において左側の枠状側壁１５のカバー側当接部２０と同じ構成及び構造を有するように形成される。すなわち、カバー側当接部２４は、当接壁３３と、補強壁３４と、補強部３５とを含んで構成される。カバー側当接部２４は、右側の枠状側壁１５の縁部から下方向に真っ直ぐのびる図示の形状に形成される。
【００４９】
尚、右側の枠状側壁１５に、左側の枠状側壁１５のカバー側サポート部２１と同様の機能部分を付加形成してもよい。
【００５０】
次に、上記構成及び構造に基づきながら本発明の特徴部分の作用について説明をする。ここでの説明は図６ないし図９を参照するとともに、必要に応じて図１ないし図５も参照する。
【００５１】
図６はアッパーカバーを本体ケースから外した状態を示す斜視図、図７はカバー側及びケース側の各ロック部などの嵌合直前の状態を示す斜視図であり、（ａ）は左側から見た図、（ｂ）は右側から見た図、図８はカバー側及びケース側の各ロック部などの嵌合状態を示す斜視図であり、（ａ）は左側から見た図、（ｂ）は右側から見た図、図９はアッパーカバーを本体ケースに嵌合させた状態を示す斜視図である。
【００５２】
図６において、電気接続箱１は、自動車のエンジンルーム４１に搭載される。また、電気接続箱１の搭載後は、この電気接続箱１の上方に他の部品４２が取り付けられる。図６では、開口部６を介して電気接続箱１の内部（網掛けにより詳細な図示は省略）が見える。
【００５３】
アッパーカバー４を嵌合させる際、単純な上下方向（ロック部分の嵌合・嵌合解除の方向）の移動で嵌合させることはできない。具体的に説明すると、本体ケース３の上方に図示の如く他の部品４２が存在することから、作業者は本体ケース３と他の部品４２との間にアッパーカバー４を差し込んだような状態にしてからでないとアッパーカバー４を嵌合させることはできない。この時、作業者は手を伸ばし手探り状態で作業をすることになるが、本発明では発明の特徴部分が有効に作用することから、アッパーカバー４を本体ケース３の所定位置に正確に嵌合させることができる。
【００５４】
すなわち、アッパーカバー４を本体ケース３の上方に移動させると、図７に示す如く本体ケース３のケース側当接部１０に対しアッパーカバー４のカバー側当接部２０が突き当たる。また、本体ケース３のケース側当接部１４に対しアッパーカバー４のカバー側当接部２４も突き当たる。これらの突き当たりにより作業者は目視することができなくとも、本体ケース３に対するアッパーカバー４の嵌合位置を簡単に把握することができる。
【００５５】
カバー側当接部２０をケース側当接部１０に突き当てた後に、また、カバー側当接部２４をケース側当接部１４に突き当てた後に、アッパーカバー４を下方に移動させると、本体ケース３のケース側ロック部９にアッパーカバー４のカバー側ロック部１９が差し込まれることから、嵌合直前の仮セット状態が形成される。また、本体ケース３のケース側ロック部１３にもアッパーカバー４のカバー側ロック部２３が差し込まれることから、この部分でも嵌合直前の仮セット状態が形成される。尚、仮セット状態が形成される直前においては、アッパーカバー４のカバー側サポート部２１と本体ケース３のケース側サポート部１１とが協働してガイド機能を発揮する。
【００５６】
最後に作業者が手でアッパーカバー４を下方に押し込むと、図８に示す如く本体ケース３のケース側ロック部９とアッパーカバー４のカバー側ロック部１９とが嵌合してロック状態が形成される。また、同様に、本体ケース３のケース側ロック部１３とアッパーカバー４のカバー側ロック部２３とが嵌合してこの部分でもロック状態が形成される。これらロック状態の形成により、図９に示す如くアッパーカバー４を嵌合させることができる。
【００５７】
以上、図１ないし図９を参照しながら説明してきたように、本発明によれば、アッパーカバー４にて本体ケース３の開口部６を覆う際、アッパーカバー４を嵌合の方向（下方）に交差する所定方向に移動させると、この移動によりカバー側当接部２０、２４がケース側当接部１０、１４に突き当たる。仮に、電気接続箱１の上方に十分なスペースがない場合や、本体ケース３に対するアッパーカバー４の嵌合位置を目視することができない場合でも、上記の如く突き当たりが生じることから位置が分かり、アッパーカバー４を本体ケース３に正確に嵌合させることができる。従って、本発明によれば、メンテナンスに係る作業性の向上を図ることができるという効果を奏する。
【００５８】
また、本発明によれば、カバー側ロック部１９、２３とケース側ロック部９、１３との嵌合位置の近傍にカバー側当接部２０、２４とケース側当接部１０、１４とを配置形成することから、離れた場合と比べて、より一層正確にアッパーカバー４を本体ケース３に嵌合させることができる。従って、本発明によれば、メンテナンスに係る作業性の向上を図ることができるという効果を奏する。
【００５９】
また、本発明によれば、カバー側当接部２０、２４とケース側当接部１０、１４との当接状態でアッパーカバー４を嵌合の方向に移動させると、カバー側サポート部２１とケース側サポート部１１とによるガイドが行われることから、アッパーカバー４を本体ケース３に正確且つスムーズに嵌合させることができる。従って、本発明によれば、メンテナンスに係る作業性の向上を図ることができるという効果を奏する。
【００６０】
また、本発明によれば、カバー側ロック部１９を挟んだ位置にカバー側サポート部２１とカバー側当接部２０とを配置形成することから、また、ケース側ロック部９を挟んだ位置にケース側サポート部１１とケース側当接部１０とを配置形成することから、位置ズレすることなく安定した状態でアッパーカバー４を本体ケース３に嵌合させることができる。従って、本発明によれば、メンテナンスに係る作業性の向上を図ることができるという効果を奏する。
【００６１】
本発明は本発明の主旨を変えない範囲で種々変更実施可能なことは勿論である。
【符号の説明】
【００６２】
１…電気接続箱、  ３…本体ケース（電気接続箱本体ケース）、  ４…アッパーカバー（カバー）、  ５…車体固定部、  ６…開口部、  ７…側壁、  ９、１３…ケース側ロック部、  １０、１４…ケース側当接部、  １１…ケース側サポート部、  １５…枠状側壁、  １６…天井壁、  １７…障害物回避部、  １９、２３…カバー側ロック部、  ２０、２４…カバー側当接部、  ２１…カバー側サポート部、  ２５…突条壁、  ２６…連結壁、  ２７…スリット、  ２８…突出壁、  ２９…連結帯壁、  ３０…ロック本体、  ３１…保護壁、  ３２…嵌合突条、  ３３…当接壁、  ３４…補強壁、  ３５…補強部、  ３６…ガイド壁、  ３７…補強壁、  ３８…補強部、  ３９…誘導部、  ４１…エンジンルーム、  ４２…他の部品４２、  Ｐ…上下方向、  Ｑ…左右方向、  Ｒ…前後方向
【図１】
2015208189.tif 000003
【図２】
2015208189.tif 000004
【図３】
2015208189.tif 000005
【図４】
2015208189.tif 000006
【図５】
2015208189.tif 000007
【図６】
2015208189.tif 000008
【図７】
2015208189.tif 000009
【図８】
2015208189.tif 000010
【図９】
2015208189.tif 000011